(57)【要約】【課題】対象体までの距離に関係なく、対象体に同等の涼風感が得られる扇風機を提供する。【解決手段】送風制御部３７は、距離センサ３１からの検知信号を一定時間毎に取り込む毎に、対象体に望ましい風速が当たるように、設定した回転数を距離センサ３１で測定した実際の距離に応じて自動に可変し、その回転数でＤＣファンモータ１５が回転するように、当該ＤＣファンモータ１５にモータ駆動信号を送出する。【選択図】図１
2017067020.tif 000002
【特許請求の範囲】
【請求項１】
設定した回転数で送風部の羽根を回転させる扇風機において、
対象者までの距離を検知する距離センサを設け、
前記距離センサで検知した距離に応じて、前記設定した回転数を自動可変する構成としたことを特徴とする扇風機。
【発明の詳細な説明】
【技術分野】
【０００１】
本発明は、涼風感を得るために対象者に向けて送風を行なう扇風機に関する。
【背景技術】
【０００２】
従来の扇風機は、例えば特許文献１に開示されるように、送風部に備えた羽根の回転数を風量設定手段で設定すると共に、支柱の上部で送風部を首振り駆動させるものが知られている。
【先行技術文献】
【特許文献】
【０００３】
【特許文献１】特開２０１０−２５５６０７号公報
【発明の概要】
【発明が解決しようとする課題】
【０００４】
上述の首振り運転機能を有する扇風機では、複数の人に対して送風を行なうことができるが、送風する羽根は設定された一定の回転数で回転するため、遠く離れた人と近くにいる人で風を感じる強さ、すなわち涼風感が異なってしまう。そのため、複数の人が同じ涼風感を得るには、扇風機との距離を全員が一定となるように、扇風機を工夫して配置するしかなかった。
【０００５】
本発明は、上記課題を解決するのになされたもので、対象体までの距離に関係なく、対象体に同等の涼風感が得られる扇風機を提供することを、その目的とする。
【課題を解決するための手段】
【０００６】
本発明は、設定した回転数で送風部の羽根を回転させる扇風機において、対象体までの距離を検知する距離センサを設け、前記距離センサで検知した距離に応じて、前記設定した回転数を自動可変する構成としたことを特徴とする。
【発明の効果】
【０００７】
本発明では、距離センサにより扇風機から対象体までの距離を検知測定し、その距離に応じて可変する設定された回転数で、送風部の羽根を回転させることができる。したがって、対象体までの距離に関係なく、対象体が同等の涼風感を得ることが可能になる。
【図面の簡単な説明】
【０００８】
【図１】本発明の第１実施例における扇風機本体の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、電気的構成を示すブロック図である。
【図７】本発明の第２実施例における扇風機の回路構成ブロック図である。
【図８】同上、扇風機本体の全体斜視図である。
【図９】本発明の第３実施例における扇風機の回路構成ブロック図である。
【図１０】同上、フローチャート図である。
【図１１】同上、様々な入力電源電圧に対する回転数と消費電力の関係を示すグラフである。
【図１２】本発明の第４実施例における扇風機の回路構成ブロック図である。
【図１３】本発明の第５実施例における扇風機の回路図である。
【図１４】同上、従来の回路図である。
【図１５】本発明の第６実施例における回路構成ブロック図である。
【図１６】同上、操作パネルの正面図である。
【図１７】同上、他の例を示す操作パネルの正面図である。
【図１８】本発明の第７実施例を示す操作パネルの正面図である。
【図１９】本発明の第８実施例を示すリモコンの正面図である。
【図２０】同上、フローチャートである。
【図２１】同上、従来例を示すリモコンの正面図である。
【図２２】本発明の第１２実施例を示す首振り状態の概略説明図である。
【図２３】本発明の第１３実施例を示すベースの分解斜視図である。
【図２４】本発明の第１４実施例を示す扇風機本体の分解斜視図である。
【図２５】本発明の第１５実施例を示すファンの正面図である。
【図２６】同上、ファンを回転させる各部の概略説明図である。
【発明を実施するための形態】
【０００９】
以下、添付図面を参照しつつ、本発明における扇風機の好ましい実施例について、添付図面を参照しながら詳細に説明する。なお、各実施例で同一の部分には同一の符号を付し、その共通する箇所の説明は重複を避けるため極力省略する。
【実施例１】
【００１０】
図１〜図５は、本発明の第１実施例における扇風機本体１の外観を示している。これらの各図において、２は室内の床面などに載置されるベース、３はベース２から上方に向かう支柱、４は風を送り出す送風部で、支柱３の上端部と送風部４との間には、送風部４を任意の方向に首振り運動させるための首振り装置６が装備される。ベース２は、その外形が平面視でほぼ円形をなす扁平状に形成され、前方上面には複数のキーやボタンによる操作部の他に、ＬＥＤなどの表示部を備えた操作パネル８が設けられる。また支柱３は、首振り装置６を含めた送風部４を昇降させる昇降装置をなすもので、ベース２の後方上面から垂直に延びる筒状の支柱基部１１と、この支柱基部１１の内側に上下摺動自在に組み付けられた摺動杆１２とからなり、支柱基部１１の上部後方に設けたロック釦１３を、図示しない弾性体の付勢力に抗して押動することにより、支柱基部１１と摺動杆１２との係合が解除されて、送風部４や首振り装置６を支持する摺動杆１２が、支柱基部１１に対して上下に摺動するようになっている。なお、これらの図には示していないが、上記構成を含む扇風機本体１には、必要に応じて遠隔操作体としてのリモコンを別体で備えており、これらの扇風機本体１とリモコンとにより、本実施例における扇風機が構成される。
【００１１】
送風部４は、駆動源としてのモータに相当するＤＣ（直流）ファンモータ１５と、このＤＣファンモータ１５により回転駆動される羽根としてのファン１６と、ファン１６を覆う網状のガードとしてのファンガード１７とからなる。ファン１６は、ＤＣファンモータ１５の前方に突出した回転軸（図示せず）に取付け固定され、複数の翼１８を放射状に配置して構成される。また、送風部４のＤＣファンモータ１５と首振り装置６の全体は、前側を開口した駆動部カバー１９により覆われており、この駆動部カバー１９の開口周縁にファンガード１７が取り付けられる。本実施例では、特に送風部４の駆動源としてＡＣ（交流）モータではなく、ＤＣファンモータ１５を採用しているので、このＤＣファンモータ１５に供給するパルス駆動信号のデューティを制御することで、ファン１６の回転数を任意に可変することができる。
【００１２】
ファンガード１７は、駆動部カバー１９の前部に取付け固定される後ガード２１と、後ガード２１の前面開口を塞ぐように配設される前ガード２２と、前ガード２２の外周部を保持した状態で、後ガード２１に取付け固定される環形のリブ部材２３とにより構成される。後ガード２１と前ガード２２は、ファンガード１７の内外で空気の流通を可能にするために、直線状または曲線状の骨部を複数本有して構成される。
【００１３】
後ガード２１は、プラスチックなどの合成樹脂製で、ファン１６の後面に対向する円形の基部２４と、基部２４の外周端から前方に延びており、ファン１６の外周部に対向する中空円筒形の周縁部２５とからなる。また、ファン１６の前面に対向する前ガード２２は、その大部分が金属製のワイヤーを接合して構成され、後ガード２１の正面方向から見て、前ガード２２の中心部には、合成樹脂製の蓋２６が設けられる。本実施例のファンガード１７は、前ガード２２の大半を金属ワイヤー製とし、後ガード２１を合成樹脂製としたことにより、ファンガード１７として形状の自由度を高めつつ、軽量化やコスト低減を図っている。
【００１４】
本実施例の首振り装置６は、送風部４を左右の水平方向にだけでなく、上下の垂直（俯仰）方向にも単独若しくは両方で揺動させることが可能である。図５は、送風部４を上方向に揺動させたときの状態を示している。
【００１５】
３１は、扇風機本体１から人や物などの対象体までの距離を検知する距離センサである。この距離センサ３１は、例えばレーザ光や超音波による検知信号を照射し、その検知信号が対象体を反射して戻ってくるまでの時間を測定して、対象体の距離を検知するものである。本実施例では、扇風機本体１の前方に存在する対象体までの距離を検知するのに、支柱３の上部前側に距離センサ３１が搭載される。
【００１６】
距離センサ３１は、扇風機本体１の支柱３以外の部位に設置できる。例えば送風部４の前方部である前ガード２２に設置して、送風部４と距離センサ３１とを連動させた場合は、首振り装置６により送風部４を首振り運動させるのに伴い、距離センサ３１からの検知信号の照射方向も移動し、対象体までの距離を広範囲に検知できる。また本実施例のように、距離センサ３１を支柱３の前側に設けた場合は、送風部４の向きに拘らず扇風機本体１の前方に存在する対象体の距離を常時検知できる。
【００１７】
図６は、本実施例における扇風機の電気的構成を示したものである。同図において、３３は扇風機本体１のベース２内に配設されたマイコンを含む制御部であり、この制御部３３の入力ポートには、前述した距離センサ３１や、操作パネル８を構成する操作部３４が電気的に接続される一方で、制御部３３の出力ポートには、送風部４を構成するＤＣファンモータ１５や、操作パネル８を構成する表示部３５や、首振り装置６に組み込まれる首振り用モータ３６がそれぞれ接続される。
【００１８】
制御部３３は、マイコンによるソフトウェア上の機能として、距離センサ３１からの検知信号や、操作部３４からの操作信号を受けて、ＤＣファンモータ１５の動作を制御する送風制御部３７と、表示部３５の動作を制御する表示制御部３８と、首振り用モータ３６の動作を制御する首振り制御部３９と、をそれぞれ備えている。
【００１９】
また制御部３３は、扇風機本体１の運転中はもとより、操作部３４に備えた電源ボタン（図示せず）の操作により扇風機本体１の運転を停止した後も、送風部４からの風量や、首振り装置６による上下左右の首振り範囲などの設定状態を記憶保持する。こうした風量や首振り範囲の設定は、扇風機本体１の運転中に操作部３４を操作することで任意に変更できる。そして、操作部３４の電源ボタンを再度操作して扇風機本体１の運転を再開したときに、制御部３３に記憶した設定状態が読み出され、これにより運転停止直前と同じ状態で、送風部４や首振り装置６を動作させることが可能になる。
【００２０】
特に本実施例の送風制御部３７は、任意の距離で設定した回転数での風速を基準として、距離センサ３１で検知測定される扇風機本体１前方の対象体までの距離に関係なく、その対象体に同じ風速の風が当たるように、ＤＣファンモータ１５の回転数を自動で可変させるモータ駆動信号を、当該ＤＣファンモータ１５に送出する機能を有している。つまり本実施例では、扇風機本体１に搭載した距離センサ３１が、前方の対象体までの実際の距離を測定し、送風制御部３７が前記送風部４からの風量に基づく任意の距離での回転数を設定すると、当該送風制御部３７で任意の距離に対する実際の距離の変化に応じた風速を算出し、実際の距離に応じて対象物に当たる風速が同一になるように、ＤＣファンモータ１５の回転数を自動制御する構成となっている。
【００２１】
次に、上記構成の扇風機について、その作用を説明する。操作部３４の電源ボタンを押動操作して扇風機本体１の運転を開始すると、送風制御部３７は距離センサ３１で測定した扇風機本体１から対象体までの実際の距離を、距離センサ３１からの検知信号として取り込む。また送風制御部３７は、予め記憶した送風部４からの風量の設定を読み出し、当該設定風量に基づく任意の距離での望ましい風速に対応した回転数を設定する。これは例えば、風量設定が「強」ならば、任意の距離である１メートル先の距離で、対象物に当たる風速が５メートル／秒となるように、ＤＣファンモータ１５の回転数を８００ｒｐｍに設定し、風量設定が「弱」ならば、同じく１メートル先の距離で、対象物に当たる風速が「強」設定よりも少ない１メートル／秒となるように、ＤＣファンモータ１５の回転数を４００ｒｐｍに設定する。こうした設定風量と回転数との関係は、予め送風制御部３７に記憶される。
【００２２】
そして送風制御部３７は、距離センサ３１からの検知信号を一定時間毎に取り込む毎に、対象体に前述の望ましい風速が当たるように、設定した回転数を距離センサ３１で測定した実際の距離に応じて自動に可変し、その回転数でＤＣファンモータ１５が回転するように、当該ＤＣファンモータ１５にモータ駆動信号を送出する。これは例えば、風量設定が「強」ならば、対象体までの実際の距離が２メートルであるときに、その対象体に望ましい５メートル／秒の風速が当たるように、ＤＣファンモータ１５の設定回転数を６００ｒｐｍから１０００ｒｐｍに変更し、その回転数でＤＣファンモータ１５ひいてはファン１６を回転させる。
【００２３】
こうして、扇風機本体１からの距離が異なっていても、対象体には同じ風速で風が当たることになり、扇風機本体１の前方に存在する対象体は、風量設定に見合う同等の涼風感を得ることが可能になる。
【００２４】
また本実施例では、扇風機本体１の運転中に、操作部３４に設けた首振りボタン（図示せず）を操作すると、首振り制御部３９から首振り用モータ３６にモータ駆動信号が送出され、予め設定された上下および／または左右の首振り範囲で、送風部４が繰り返し揺動する。この場合、送風部４と距離センサ３１が連動する構成であれば、送風部４が首振り運動するのに伴い、送風部４の前方に存在する対象体までの実際の距離に基づき、送風制御部３７によりＤＣファンモータ１５の設定回転数を自動で可変させることができる。したがって、送風部４を所定の範囲に首振り運動させつつ、扇風機本体１から異なる距離に存在する複数の対象体に向けて、同じ風速の風を当てることが可能になる。
【００２５】
以上のように本実施例では、設定した回転数で送風部４の羽根であるファン１６を回転させる扇風機において、送風部４を備えた扇風機本体１から対象体までの距離を検知する距離センサ３１を設け、その距離センサ３１で検知測定した距離に応じて、対象体に当たる風速が一定となるように、前記設定した回転数を自動可変する構成を、送風部４のＤＣファンモータ１５を制御する送風制御部３７として備えている。
【００２６】
この場合、距離センサ３１により扇風機本体１から対象体までの距離を検知測定し、その距離に応じて可変する設定された回転数で、対象体に当たる風速が一定となるように、送風部４のファン１６を回転させることができる。したがって、扇風機本体１から対象体までの距離に関係なく、対象体となる人や物に同等の涼風感を得ることが可能になる。
【実施例２】
【００２７】
図７は、本発明の第２実施例における扇風機の主要な回路構成ブロック図である。この実施例では、節電効率を高めた直流電源用扇風機を提供する。
【００２８】
同図において、４１は商用電源（図示せず）のコンセントに着脱可能な電源プラグ、４２は電源プラグ４１からの交流電圧を直流電圧に変換するＡＣアダプタ、４３はＡＣアダプタ４２からの直流電圧を入力とした電源回路、４４は電源回路４３からの直流電圧を受けて動作する扇風機ユニットである。電源回路４３は、４個の整流素子であるダイオード４６，４７，４８，４９と、太陽発電装置としてのソーラー電源５０と、ソーラー電源５０からの直流電圧を昇圧または降圧するＤＣ／ＤＣコンバータ５１と、充電回路５２と、充放電可能な二次電池としての充電電池５３と、を備えている。また扇風機ユニット４４は、第１実施例でも説明した制御部３３や、ＤＣファンモータ１５や、ファン１６を含んで構成される。
【００２９】
ＡＣアダプタ４２は、例えばＤＣ２４Ｖに変換した直流電圧を、電源回路４３から扇風機ユニット４４に至る＋側電源ライン５５Ａと−側電源ライン５５Ｂとの間に出力するもので、＋側電源ライン５５ＡにはＡＣアダプタ４２側への電流の流入を阻止するダイオード４６が接続される。また電源回路４３は、ダイオード４６のカソード側において、＋側電源ライン５５Ａと−側電源ライン５５Ｂとの間に、ＤＣ／ＤＣコンバータ５１の出力側にダイオード４７を接続した直列回路や、充電回路５２の正極側にダイオード４８を接続した直列回路や、充電電池５３の正極側にダイオード４９と直列回路を各々接続し、さらにＤＣ／ＤＣコンバータ５１の入力側にソーラー電源５０を接続して構成される。これにより、ソーラー電源５０で発電した電力を、ＤＣ／ＤＣコンバータ５１で所望の直流電圧に変換した後に、ダイオード４７を通して＋側電源ライン５５Ａと−側電源ライン５５Ｂとの間に送り出し、扇風機ユニット４４の駆動時には、ソーラー電源５０を扇風機ユニット４４の駆動用電力として利用する一方で、扇風機ユニット４４の不使用時には、さらに別なダイオード４８を通して充電回路５２から充電電池５３に送り出すことで、ソーラー電源５０を充電電池５３の充電用電力として利用する構成となっている。
【００３０】
図８は、本実施例における扇風機本体１の全体斜視図である。同図において、上述した電源プラグ４１を含むＡＣアダプタ４２や、扇風機ユニット４４の制御部３３は、ベース２に組み込まれており、ベース２の表面にはソーラー電源５０を構成する太陽光パネル５８が配置される。また前記充電電池５３は、ベース２の内部に配置される。その他の構成は、第１実施例で説明したものと共通する。
【００３１】
太陽光パネル５８は、光エネルギーを電気エネルギーに変換する平板状のモジュールであるが、この太陽光パネル５８を扇風機本体１から分離させた別体とし、有線による接続手段で扇風機本体１へ接続してもよい。また充電電池５３も、扇風機本体１から分離させた別体とし、有線による接続手段で扇風機本体１へ接続してもよい。
【００３２】
そして本実施例では、電源プラグ４１を商用電源のコンセントに差し込んで接続すると、ＡＣアダプタ４２に入力する交流電圧が直流電圧に変換され、当該直流電圧がＡＣアダプタ４２から電源回路４３に供給される。これにより、扇風機ユニット４４が動作する駆動時には、ＡＣアダプタ４２からの直流電圧がダイオード４６を通して扇風機ユニット４４の制御部３３やＤＣファンモータ１５に供給され、ＡＣアダプタ４２が扇風機ユニット４４の駆動用電源として利用される。一方、扇風機ユニット４４が動作しない不使用時には、ＡＣアダプタ４２からの直流電圧がダイオード４６，４８を通して充電回路５２に供給され、充電電池５３を充電する。つまりこの場合のＡＣアダプタ４２は、充電電池５３の充電用電源として利用される。
【００３３】
また、太陽光パネル５８に太陽光が当たっていると、ソーラー電源５０は太陽光による光エネルギーを電気エネルギーに変換して、ＤＣ／ＤＣコンバータ５１に直流電圧を供給する。これを受けてＤＣ／ＤＣコンバータ５１は、ソーラー電源５０からの直流電圧を、ダイオード４７を通して電源回路４３に供給する。ここで扇風機ユニット４４の駆動時には、ソーラー電源５０からの直流電圧が扇風機ユニット４４の制御部３３やＤＣファンモータ１５に供給され、ソーラー電源５０が扇風機ユニット４４の駆動用電源として利用される。一方、扇風機ユニット４４の不使用時には、ソーラー電源５０からの直流電圧が充電回路５２に供給され、充電電池５３を充電する。つまりこの場合のソーラー電源５０は、充電電池５３の充電用電源として利用される。
【００３４】
こうして本実施例では、ソーラー電源５０から発生する電気エネルギーとしての直流電力は、ＡＣアダプタ４２からの直流電力を補うので、ＡＣアダプタ４２とソーラー電源５０の双方を使い分けることで、節電効率を高めた扇風機を提供できる。また本実施例では、ソーラー電源５０からの直流電力を充電電池５３に充電できる構成としているので、扇風機としての節電効率をさらに高めることができる。
【００３５】
さらに、停電などで商用電源からの電力供給が断たれた場合は、ソーラー電源５０からの直流電圧の他に、充電電池５３からの直流電圧がダイオード４９を通して扇風機ユニット４４に供給される。これにより、仮に太陽光パネル５８に十分な太陽光が当たっていない状態でも、充電電池５３からの放電電圧を利用して、扇風機ユニット４４の制御部３３やＤＣファンモータ１５を引き続き動作させることができる。
【００３６】
このように本実施例では、商用電源を入力とした第１電源装置としてのＡＣアダプタ４２と、光エネルギーを入力とした第２電源装置としてのソーラー電源５０とを備え、ＡＣアダプタ４２とソーラー電源５０の双方若しくは片方を選択的に使用して、負荷である扇風機ユニット４４に直流電力を供給する電源回路４３を備えた直流電源用扇風機を提案する。
【００３７】
そのため、ＡＣアダプタ４２からの電力供給に加えて、ソーラー電源５０からの光エネルギーに基づく発電電力を最大限に利用して扇風機ユニット４４を動作させることができ、ＡＣアダプタ４２とソーラー電源５０の双方を使い分けることで、節電効率を高めた直流電源用扇風機を提供できる。
【００３８】
また本実施例では、ＡＣアダプタ４２および／またはソーラー電源５０からの電力を蓄える二次電池として、電源回路４３に充電電池５３を備えている。
【００３９】
この場合、ＡＣアダプタ４２やソーラー電源５０からの電力を充電電池５３に蓄えることが可能になり、節電効率をさらに高めた直流電源用扇風機を提供できる。
【００４０】
さらに本実施例では、ソーラー電源５０からの電力で扇風機ユニット４４の動作を継続できない条件になった場合に、充電電池５３および／またはＡＣアダプタ４２からの電力で扇風機ユニット４４の動作を継続できるように、電源回路４３を構成した直流電源用扇風機を提案する。
【００４１】
この場合、夜間などの太陽光による光エネルギーが得られなくなった場合に、他の充電電池５３やＡＣアダプタ４２によるハイブリット運転を、直流電源用扇風機で実現することが可能になる。
【実施例３】
【００４２】
図９〜図１１は、本発明の第３実施例を示し、省エネルギーに適した扇風機を提供する。
【００４３】
図９は扇風機の概略構成を示すブロック図であるが、第１実施例や第２実施例の制御部３３に代わる制御部６１には、ＤＣ／ＤＣコンバータなどを備え、設定した風量レベルに応じてＤＣファンモータ１５への電源電圧を可変する電源電圧制御回路６２と、ＰＷＭ回転数制御回路６３とが備えられている。図中４１は電源プラグ、４２はＡＣアダプタ、１５はＤＣファンモータであり、これらは第１実施例や第２実施例のものと共通している。
【００４４】
図１０に従いその動作を説明すると、商用電源（図示せず）のコンセントに電源プラグ４１を接続すると、ＡＣアダプタ４２により交流電圧がＤＣ２４Ｖの直流電圧に変換されて制御部６１に給電される。ここで操作部３４を操作して、例えば７段階の風量レベルが選択可能な場合、制御部６１はステップＳ１において、設定された風量レベルが「６」または「７」であるか否かを判断し、「ＹＥＳ」であるときはステップＳ２に移行して、電源電圧制御回路６２はＤＣファンモータ１５への電源電圧をＤＣ２４Ｖのままとし、その電源電圧をＰＷＭ回転数制御回路６３によりパルス幅変調して給電することで、設定された風量レベルに応じた回転数でＤＣファンモータ１５を駆動する（ステップＳ３）。
【００４５】
次に、ステップＳ１において「ＮＯ」のときには、ステップＳ４に移行して、設定された風量レベルが「４」または「５」であるかを制御部６１で判断し、「ＹＥＳ」であるときはステップＳ５に移行して、電源電圧制御回路６２は電源電圧をＤＣ１２Ｖに降圧し、そのＤＣ１２Ｖの電源電圧をＰＷＭ回転数制御回路６３によりパルス幅変調して給電することで、設定された風量レベルに応じた回転数でＤＣファンモータ１５を駆動する（ステップＳ３）。
【００４６】
また、前記ステップＳ４において「ＮＯ」のときには、設定された風量レベルが「１」〜「３」であると制御部６１で判断されて、ステップＳ６に移行し、電源電圧制御回路６２は電源電圧をＤＣ６Ｖに降圧し、そのＤＣ６Ｖの電源電圧をＰＷＭ回転数制御回路６３によりパルス幅変調して給電することで、設定された風量レベルに応じた回転数でＤＣファンモータ１５を駆動する（ステップＳ３）。このように制御部６１は、操作部３４の選択により制御部６１に設定記憶された風量レベルに応じて、ＡＣアダプタ４２からの電源電圧を降圧し、その電圧をＰＷＭ回転数制御回路６３でパルス幅変調して給電する。ＰＷＭ回転数制御回路６３は、設定した風量レベルに応じて生成されたＰＷＭ制御信号を受けて、そのＰＷＭ制御信号に見合うデューティに電源電圧制御回路６２からの電源電圧をパルス幅変調することで、ＤＣファンモータ１５ひいてはファン１６の回転数を可変する。
【００４７】
上記一連の動作において、電源電圧制御回路６２の出力であるＤＣファンモータ１５への入力電源電圧を「Ｖｍ電圧」とし、ＤＣファンモータ１５の回転数を「回転数」とし、ＤＣファンモータ１５への入力電流を「Ｖｍ電流」とし、ＰＷＭ回転数制御回路６３へのＰＷＭ制御電圧を「Ｖｓ」とし、前記入力電源電圧と入力電流との積で算出されるＤＣファンモータ１５の消費電力を「消費電力」としたときの関係を、下記表１〜表７にそれぞれ示す。
【００４８】
【表１】
2017067020.tif 000003
【００４９】
【表２】
2017067020.tif 000004
【００５０】
【表３】
2017067020.tif 000005
【００５１】
【表４】
2017067020.tif 000006
【００５２】
【表５】
2017067020.tif 000007
【００５３】
【表６】
2017067020.tif 000008
【００５４】
【表７】
2017067020.tif 000009
【００５５】
それと併せて、「Ｖｍ電圧」に応じた「回転数」と「消費電力」の関係を図１１のグラフに示す。これは、風量レベルの設定に応じて電源電圧制御回路６２が入力電源電圧をＤＣ２４Ｖ〜ＤＣ６Ｖに７段階で降圧した場合を示している。例えば回転数が３００ｒｐｍの時の消費電力は、入力電源電圧がＤＣ２４Ｖのとき０.７６８Ｗ、ＤＣ２０Ｖのとき０.７Ｗ、ＤＣ１６Ｖのとき０.６２４Ｗ、ＤＣ１２Ｖのとき０.５４Ｗ、ＤＣ１０Ｖのとき０.５３Ｗ、ＤＣ８Ｖのとき０.５２Ｗ、ＤＣ６Ｖのとき０.５２２Ｗとなる。このように同じ回転数を得る場合において、入力電源電圧が低い方が消費電力は少ないことが示されている。しかも、この傾向は低い回転数において顕著に表れる。
【００５６】
このように本実施例においては、扇風機の送風モータとして直流駆動用のＤＣファンモータ１５を搭載したものにおいて、設定した風量レベル（ＤＣファンモータ１５の回転数のレベル）を下げるのに従って、ＤＣファンモータ１５への入力電源電圧を下げていくものであるため、強運転時の高回転数を維持することができ、しかも中から弱運転時の消費電力を下げることが可能な省エネルギーに適した扇風機を提供できる。
【実施例４】
【００５７】
図１２は、本発明の第４実施例を示すブロック図であり、使用者が自分に合うオリジナルの風を作成することができる扇風機を提供する。
【００５８】
同図において、７１は前述の制御部３３，６１に代わる制御部であり、扇風機プログラム作成手段７２とプログラム記憶部７３とを備えている。７４は前述の操作部３４に含まれるプログラム設定操作部であり、回転数キー７５、秒キー７６、分キー７７、時間キー７８、数キー７９およびセットキー８０が備えられている。８１はオリジナル風キーである。その他の構成は、第１実施例〜第３実施例のものを適宜利用できる。
【００５９】
ここでは、プログラム設定操作部７４のキーを介して使用者が自分に合うオリジナルの風の条件を入力すると、制御部７１の扇風機プログラム作成手段７２によりプログラムが作成され、プログラム記憶部７３に記憶される。そして、オリジナル風キー８１の操作によって、プログラム記憶部７３から読み出したプログラムを選択実行させることにより、扇風機が動作して使用者独自のオリジナルの風を供給する。
【００６０】
例えば、前記オリジナルの風の条件として、プログラム設定操作部７４の回転数キー７５により「３００ｒｐｍ」、分キー７７により「３０分」、回転数キー７５により「６００ｒｐｍ」、時間キー７８により「１時間」、数キー７９により「１」を選択した後に、当該選択した条件でプログラムの作成を指示するセットキー８０をオンとすると、この内容のプログラムが扇風機プログラム作成手段７２により作成され、パターン１のプログラムとしてプログラム記憶部７３に記憶される。そして、オリジナル風キー８１によりパターン１を選択すると、初めに３００ｒｐｍの回転数で中程度の風量の風が３０分継続し、続いて６００ｒｐｍの回転数でやや強い風量の風が１時間継続するように、制御部７１がＤＣファンモータ１５の動作を制御する。また就寝時に適するように、３００ｒｐｍの回転数で３０分、２００ｒｐｍの回転数で２０分、１００ｒｐｍの回転数で２時間という中程度から微風に順次変化する別なパターンを作成して、ＤＣファンモータ１５の動作を制御することもできる。その他、秒キー７６の操作により、送風時間を時間や分だけでなく、秒単位に設定することもできる。
【００６１】
なお、プログラムは新たに作成するのではなく、既に作成済みのプログラムを変更し更新するようにしてもよい。本実施例では、数キー７９により再び「１」を選択して、セットキー８０をオンすれば、それまでプログラム記憶部７３に記憶されていたパターン１のプログラムが変更更新される。また、風量調節を一つの回転数キー７５により連続的に可変させる場合を説明したが、例えば複数の「強」，「中」，「弱」キーを設けて段階的に可変できる構成としてもよく、プログラム設定操作部７４のキーの種類は適宜選択すればよい。
【００６２】
ところで従来は、リズム風や自然の風などの固有のプログラムを組み込んだ扇風機の制御運転が知られているが、オリジナルのプログラムで制御運転するものはなかった。また近年は、心地よい風が注目され、自分に合った風の追及が求められている。しかし、生活の中で強い風や弱い風が欲しいときなど、自分の生活環境に合うような、個人一人一人に合せた風を得るのは難しい。
【００６３】
そこで本実施例では、プログラム設定操作部７４からの操作入力により、任意にオリジナルのプログラムを作成する機能を、制御部７１に扇風機プログラム作成手段７２として備えている。この場合、使用者が自分に合うオリジナルの風を簡単に作成することができるから、その時々で使用者の好みの風を楽しむことができる。
【００６４】
また本実施例では、前記プログラムを記憶保存するプログラム記憶部７３を備えているから、使用者がその都度プログラムを作成することなく、プログラム記憶部７３からプログラムを任意に読み出して使用できる。
【実施例５】
【００６５】
図１３は、本発明の第５実施例を示すＡＣファンモータの駆動回路であり、付加コンデンサを用いることなく４段階の風量切換えを可能にした扇風機を提供するものである。ここでは、第１実施例〜第４実施例のＤＣファンモータ１５に代わり、交流電源で駆動するＡＣモータ８５が用いられる。
【００６６】
同図において、９１はＡＣモータ８５の主コイル、９２はＡＣモータ８５の副コイル、９３はランニングキャパシタとなる進相コンデンサ、９４〜９７は前記副コイル９２に設けられたタップであり、ここでは４個のタップ、すなわち強風用の高速回転タップ９４と、中風用の中速回転タップ９５と、弱風用の低速回転タップ９６と、微風用の超低速回転タップ９７とを有している。また９８は温度ヒューズである。そして、タップ９４〜９７の切り替えで、温度ヒューズ９８の一端とタップ９４〜９７の何れかの間に交流電源を印加することで、界磁コイルにより発生する磁場の強さが変化し、回転数が「強風」から「微風」の４段階に変化するように構成されている。なお、この段階数は４に限られない。
【００６７】
図１５に示すように、従来においては副コイル９２に３個のタップ９４〜９６が設けられ、強風用の高速回転タップ９４には、さらに回転数切換え用の付加コンデンサ９９を介して微風用の超低速回転タップ９７が設けられ、４段階の風量調節を可能にしている。しかし、この場合はコンデンサ９９の追加により構造が複雑になり、その設置スペースが扇風機本体１内部で必要となる上に、内部配線も複雑化する。
【００６８】
それに対して本実施例では、交流電源で駆動するＡＣモータ８５の補助コイルである副コイル９２に複数の中間タップ９４〜９７を設け、従来のコンデンサ９９を省略して、ＡＣモータ８５の主コイル９１と副コイル９２の抵抗バランスを段階的に可変し、ＡＣモータ８５の回転数ひいては扇風機の風量を可変できる構成にしたから、付加したコンデンサ９９の設置スペース不要とし、コンパクトで軽量化、内部配線の簡素化を図ることができる。また、電装品収納部を無くして、ベース２の厚みを薄くするなどの小型化も達成できる。
【実施例６】
【００６９】
図１５〜図１７は、本発明の第６実施例を示し、ファン動作音を素早く下げるのに効果的な扇風機を提供するものである。なお、本実施例は扇風機の他に、空気清浄機や、加湿器や、エアコンや、ヒーターなどの送風機応用機器にも適用できる。
【００７０】
図１５はブロック図であり、前述の制御部３３，６１，７１に代わる制御部１０１には、送風制御部１０２と表示制御部１０３とが備えられている。３４は操作部、１０５はセンサ、１０６は前述したＤＣファンモータ１５やＡＣモータ８５などのファンモータ、１０７は表示部である。
【００７１】
図１６は前記操作部３４および表示部１０７を示しており、これらは扇風機本体１に露出する操作銘板１０４内に配置される。ここでの操作銘板１０４には、「強」，「中」，「弱」，「手動風量」，「自動風量」，「花粉」，「静かに」，「風量」，「運転切替」，「運転切／入」の文字表記部が各々印刷形成される。
【００７２】
操作部３４には、前記操作銘板１０４の文字表記部に対応して、「静かに」ボタン１０８と、「風量」ボタン１０９と、「運転切替」ボタン１１０と、「運転切／入」ボタン１１１がそれぞれ設けられる。また表示部１０７には、前記「運転切替」ボタン１１０の上方に位置して、運転コースとして「手動風量」運転を示す表示ランプ１１２と、「自動風量」運転を示す表示ランプ１１３と、「花粉」運転を示す表示ランプ１１４がそれぞれ設けられ、前記「風量」ボタン１０９の上方に位置して、設定した風量である「強」，「中」，「弱」を示す表示ランプ１１５，１１６，１１７が設けられている。前記「風量」ボタン１０９は、ファンモータ１０６に連結するファン１６からの風量を段階的に切り換える第１の風量切換手段を構成し、前記「静かに」ボタン１０８は、「風量」ボタン１０９よりもファン１６の風量を細かく切り換える第２風量切換手段を構成する。その他の構成は、前記第１実施例〜第５実施例のものを適宜利用できる。
【００７３】
ここでは、「運転切替」ボタン１１０を押す毎に、制御部１０１で設定される運転コースが順々に切換わり、使用者が運転コースを選択できると共に、それに対応して表示ランプ１１２，１１３，１１４も順に点灯して、どの運転コースが設定されているのかを使用者に表示できる。また、「風量」ボタン１０９を押す毎に、制御部３４で設定される風量レベルが順々に切換わり、使用者が風量レベルを選択できると共に、それに対応して表示ランプ１１５，１１６，１１７も順に点灯し、どの風量レベルが設定されているのかを使用者に表示できる。さらに、前記「静かに」ボタン１０８を押す毎に、設定した風量は僅かずつ減少する。これらの設定した運転コースや風量は、変更がある毎に記憶部１２１に上書きして記憶保存され、制御部１０１はその設定した運転コースや風量に従って、ファンモータ１０６の動作を制御する。
【００７４】
そして、「手動風量」コースにおいて例えば「強」の風量で運転していた場合、使用者がなんらかの理由でファン動作音がうるさいと感じた時に、従来においては「風量」ボタン１０９を押して風量を「中」に切換えざるを得なかった。これによって、ファンモータ１０６の回転音やファン１６の風切音などのファン動作音は相当小さくなるが、同時に風量も少なくなってしまい、希望する風量が得られないという問題があった。
【００７５】
しかし、本実施例では風量調整手段である「風量」ボタン１０９の他に、風量微調整手段である「静かに」ボタン１０８を備えているため、これを押すことによってファン動作音を少しだけ小さくすることができ、しかもほぼ同等な風量を維持することができる。また、「静かに」ボタン１０８を複数回押すことによって、設定する風量レベルも徐々に下がって、所望のファン動作音レベルを得るようにすることもできる。このようにして、ファン動作音レベルを簡単に微調整することができ、使用者が気にならない運転音で、最大の風量を確保することが可能になる。
【００７６】
なお、「静かに」ボタン１０８で設定された風量は一定時間、例えば１０分後に自動的に設定前の「強」の風量に戻るように制御部１０１を構成してもよく、これにより、例えば電話がかかってきて「静かに」ボタン１０８を操作すれば、ファン動作音を小さくして静かにできるので、電話での会話がし易くなる。また、会話した後は自動的に元の風量に戻るから、風量を元に戻す操作が不要になり便利である。
【００７７】
また本実施例では、「静かに」ボタン１０８を押す毎に少しずつ段階的に風量が少なくなる場合を示ししたが、「静かに」ボタン１０８を押している間は風量が無段階で緩やかに少なくなるように構成してもよい。この場合、使用者は「静かに」ボタン１０８を押し続けて、好みの風量になったら「静かに」ボタン１０８から手を離せばよく、「静かに」ボタン１０８を利用して設定した風量を無段階に調節できるので、段階的なものよりも細かい風量設定が可能となり、使用者の好みの風量を実現できる。
【００７８】
図１７は、前記操作部３４および表示部１０７の他の例を示しており、風量の表示ランプとして、操作銘板１０４に「好み」の表示ランプ１１８を付加するとともに、風量微調整の「静かに」ボタン１０８に代えて、風量微調整の「下げる」ボタン１１９と「上げる」ボタン１２０を設けたものである。「下げる」ボタン１１９と「上げる」ボタン１２０とにより、前述の「静かに」ボタン１０８と同様な風量の微調整が可能であり、「下げる」ボタン１１９で風量を下げすぎた場合でも「上げる」ボタン１２０によって上げることもでき調整しやすくなる。
【００７９】
また、図１６に示す「静かに」ボタン１０８や、図１７に示す「下げる」ボタン１１９と「上げる」ボタン１２０とにより微調整された設定風量は、使用者にとって好みの風量と見ることもできるため、これを前述のように図１５の記憶部１２１に記憶することにより、「風量」ボタン１０９により「好み」を選択すると、この記憶された設定風量でファンモータ１０６を運転するように制御部１０１を構成してもよい。
【００８０】
つまり、使用者が設定風量の微調整を行なった場合、その微調整後の設定風量が使用者の好みであると推測されるから、次回の「風量」ボタン１０９による風量切換え時に、記憶部１２１に記憶された設定風量となるように、ファンモータ１０６の動作を制御すれば、使用者がいちいち設定風量の微調整を行なう必要がなく便利である。
【００８１】
また、「下げる」と「上げる」の表記に代えて、「弱く」と「強く」や、「▼」と「▲」や、「静かに」と「戻す」などの表記を採用しても、わかり易く好ましい。さらに、風量微調整手段として音声認識や拍手の応用なども可能である。
【００８２】
「運転切替」ボタン１１０で選択可能な「自動風量」コースは、埃センサまたは花粉センサなどのセンサ１０５からの検知出力に基づいて、送風機となるファン１６の風量を自動的に調整するもので、ここでは扇風機周囲の埃や花粉が多くなり、センサ１０５の検知出力が大きくなると、ファン１６の風量も自動的に増すように、制御部１０１がファンモータ１０６を制御する。このようにしてファン１６の風量が増しているときに、例えば前記「静かに」ボタン１０８を操作した場合は、「静かに」ボタン１０８で微調整された設定風量を記憶部１２１に記憶して、これを自動風量コースの再スタート時の設定風量として、ファンモータ１０６の動作を制御する。
【００８３】
上述のセンサ１０５の検知出力に依存する「自動風量」コースは、ファン１６の風量が強くなるので、特に使用者の好みの風量との差が出やすい。そこで、センサ１０５の検知出力によって、ファン１６の風量が増しているときに、風量微調整手段である例えば「静かに」ボタン１０８の操作により、設定風量が変更された場合に、その設定風量を「自動風量」コースの最大設定風量として記憶部１２１に記憶する構成とすれば、次回に「運転切替」ボタン１１０で「自動風量」コースを選択したときに、使用者が好みの設定風量で「自動風量」コースを実現できる。
【００８４】
なお、前記センサ１０５は他に、臭いセンサや、ガスセンサや、温度センサや、湿度センサなど、扇風機の周囲状況を検知できる種々のセンサを用いることができる。
【実施例７】
【００８５】
図１８は、本発明の第７実施例を示し、第６実施例におけるファン動作音を紛らわすのに効果的な音発生手段を備えた扇風機を提供するものである。
【００８６】
操作銘板１０４の正面図を示す図１８において、ここでは第６実施例で説明した「風量」ボタン１０９や、「運転切替」ボタン１１０や、「運転切／入」ボタン１１１や、表示ランプ１１２，１１３，１１５〜１１７の他に、操作部３４として、「音切／入」ボタン１３１と、「音選択」ボタン１３２と、「音質」ボタン１３３と、「音量」ボタン１３４をさらに備え、また表示部１０７として、選択可能な音を表示する音表示部１３５をさらに備えている。また、制御部１０１には図示しない音発生手段をさらに備えている。その他の構成は第６実施例と共通し、必要に応じて第１実施例〜第５実施例のものを適宜利用できる。
【００８７】
上記構成において、使用者がファンモータ１０６の回転音やファン１６の風切音などのファン動作音が気にかかるときに、「音切／入」ボタン１３１を操作して、音発生手段から音が発生できる入状態に切換えた後、「音選択」ボタン１３２を操作して、使用者の好みに応じた音を選択する。ここで選択できる音の種類は、例えば川のせせらぎ音、波の音、小鳥のさえずり音、風鈴の音などの自然界の音や、「シュルシュル」音、「スースー」音、「キュルキュル」音などのファンモータ１０６が回転する際に軸受などから発生する摺動音に類似した音（疑似摺動音）で、これら複数の音は全て記憶部１２１に記憶される。
【００８８】
そして、「音切／入」ボタン１３１の操作により音出力が可能な入状態に切換わると、表示制御部１０３は記憶部１２１に記憶される選択可能な音の種類を音表示部１３５にそれぞれ表示させ、その中から「音選択」ボタン１３２の操作により特定の音を選択すると、制御部１０１は記憶部１２１に記憶される特定の音を音出力手段から出力させる。このとき音出力手段から発生する音の音質や音量は、使用者の好みに応じて「音質」ボタン１３３と、「音量」ボタン１３４の操作によって調節できる。これらの「音質」ボタン１３３と「音量」ボタン１３４は、音調節手段に相当するが、少なくとも「音質」ボタン１３３により音質を、また「音質」ボタン１３３と「音量」ボタン１３４により音質と音量を任意に調節できる構成とする。
【００８９】
なお本実施例では、「音切／入」ボタン１３１を操作する毎に、音発生手段からの音出力を可能にする入状態と、音発生手段からの音出力を停止する切状態に切換わる構成となっている。したがって、後者の切状態を選択すれば、音発生手段から音が発生しない従来の扇風機としての使用も可能となる。
【００９０】
このように本実施例の扇風機は、送風手段となるファン１６やファンモータ１０６と、複数の音を保存する記憶部１２１と、前記複数の音の中から選択された特定の音を出力する音発生手段と、「音質」ボタン１３３や「音量」ボタン１３４による音調節手段とを備えている。
【００９１】
そのため使用者は、好みに応じた音を記憶部１２１の中から選択し、さらに音質や音量を可変することで、扇風機から好みの音を発生させることができ、送風手段からの不快な騒音を緩和できる。
【００９２】
また、記憶部１２１には複数の疑似摺動音が記憶されている。これにより使用者は、気になるファンモータ１０６の回転音などに対応する疑似摺動音を選択して、扇風機から発生させることができる。
【００９３】
また、記憶部１２１には複数の自然界の中の音が記憶されている。これにより使用者は、好みに応じた自然界の音を選択して、扇風機から発生させることができる。
【００９４】
本実施例では、記憶部１２１に記憶した複数の音の中から、「音切／入」ボタン１３１の操作により音出力が可能な入状態となる使用時に、特定の音を選択して音発生手段から出力させる構成となっている。
【００９５】
これにより、音出力が可能な使用時にのみ、使用者の好みに応じた音を発生させることができ、通常の音が発生しない扇風機としての使用も可能になる。
【００９６】
また本実施例では、制御部１０１に現在時刻を計時するタイマー部を備え、このタイマー部の計時に基づき、例えば朝、昼、夜のような所定のタイミング毎に、記憶部１２に記憶される複数の音の中から、異なる特定の音を自動的に選択して音発生手段から出力させる構成としてもよい。
【００９７】
これにより、例えば一日の時間帯毎に、ユーザの好みに合った音を扇風機から発生させることができる。
【００９８】
その他に本実施例では、外部記憶媒体としてＳＤカードやＵＳＢメモリに任意に好みの音データを収録保存し、その音データを記憶部１２１に追加入力してもよい。さらに、上記の音の種類を組み合わせたものをパターン化して記憶することにより、使用者が好みとする音の選択幅を拡大することができる。
【実施例８】
【００９９】
図１９〜図２１は、本発明の第８実施例を示し、首振り範囲の設定が容易なリモコンを備えた扇風機を提供するものである。
【０１００】
図１９は本実施例におけるリモコン１４１の正面図であり、第１実施例の扇風機本体１と組み合わせて使用される。特に首振り範囲の設定に拘るリモコン操作部の構成についてのみ説明すると、ここではリモコン１４１の表面に、それぞれ「左右首振り」ボタン１４２と、「お好み設定」ボタン１４３と、「上下首振り」ボタン１４４とを備えている。リモコン１４１は、これらのボタン１４２〜１４４の押動操作に伴い、図示しない送信部から無線での操作信号を送出し、これを受けた扇風機本体１の首振り制御部３９が、首振り用モータ３６の動作を制御する構成となっており、具体的には「左右首振り」ボタン１４２と「お好み設定」ボタン１４３の操作により、首振り制御部３９が左右の首振り範囲を設定し、「上下首振り」ボタン１４４と「お好み設定」ボタン１４３の操作により、首振り制御部３９が上下の首振り範囲を設定する。
【０１０１】
そして、図２０のフローチャートで示したように、使用者が「左右首振り」ボタン１４２を押し続けると（ステップＳ１１）、首振り制御部３９は首振り用モータ３６の動作を制御して、送風部４を左方向に首振り動作させ（ステップＳ１２）、その動作の途中で「お好み設定」ボタン１４３がオンされると（ステップＳ１３）、送風部４の首振り動作を停止させると共に、停止位置を記憶して左方向の首振り範囲を確定する（ステップＳ１４）。次に再び「左右首振り」ボタン１４２を押し続けると（ステップＳ１５）、首振り制御部３９は送風部４を右方向に首振り動作させ（ステップＳ１６）、その動作の途中で「お好み設定」ボタン１４３がオンされると（ステップＳ１７）、送風部４の首振り動作を停止させると共に、停止位置を記憶して右方向の首振り範囲も確定する（ステップＳ１８）。以上が左右方向の首振り範囲の設定手順であるが、「上下首振り」ボタン１４４と「お好み設定」ボタン１４３を同様に操作することで、上下方向の首振り範囲も設定できる。
【０１０２】
従来は、図２１に示すように、リモコン１４１の表面に「左首振り」ボタン１４５と、「右首振り」ボタン１４６と、「上首振り」ボタン１４７と、「下首振り」ボタン１４８と、「決定」ボタン１４９をそれぞれ備え、例えば「左首振り」ボタン１４５を押し続けて「決定」ボタン１４９を押すことにより、左方向の首振り範囲が確定し、次に「右首振り」ボタン１４６を押し続けて「決定」ボタン１４９を押すことにより、左右方向の首振り範囲が確定する。
【０１０３】
つまり従来は、例えば左右の首振り範囲を設定するのに、ボタン操作は４回で、リモコン１４１のボタン数が３個必要となる。そのため、送風部４の首振り範囲を使用者の好みの角度範囲に設定するいわゆるお好み首振りの設定が煩わしく、リモコン１４１のボタン数も多くなる。これは上下の首振り範囲を設定する場合も同じことがいえる。
【０１０４】
それに対して、本実施例では「左右首振り」ボタン１４２が従来の「左首振り」ボタン１４５と「右首振り」ボタン１４６の機能を有し、「上下首振り」ボタン１４４が「上首振り」ボタン１４７と「下首振り」ボタン１４８の機能を有する。このため、ボタン操作は３回で、リモコン１４１のボタン数は２個必要となり、従来よりもボタン操作を簡素化させ、且つボタン数を減らして、コンパクトで使い勝手のよいリモコン１４１を提供できる。このようにして、「左右首振り」ボタン１４２と「お好み設定」ボタン１４３とにより左右首振り範囲設定手段を構成し、「上下首振り」ボタン１４４と「お好み設定」ボタン１４３とにより上下首振り範囲設定手段を構成している。
【０１０５】
なお、各ボタンの配置、形状、表記などは、本実施例に記載されたものに限定されず、任意に変更が可能である。
【実施例９】
【０１０６】
本発明の第９実施例は、例えば図１５に示す扇風機の電気的構成で、制御部１０１を構成する記憶部１２１に、停電時や電源プラグを抜いた時でも、その直前の状態を記憶するフラッシュメモリ等の不揮発性の半導体メモリを備えたものである。記憶部１２１には、例えば送風部４からの設定風量や、設定時刻に扇風機本体１の動作をオンまたはオフに切換えるタイマーなどが記憶される。
【０１０７】
そして本実施例では、運転中の一時的な停電や電源プラグの抜き差しがあった場合でも、再度風量やタイマーなどの設定を行なうことなく、停電時や電源プラグを抜いた時の状態を不揮発性の半導体メモリである記憶部１２１から読み出して再運転できるようにしたものである。この場合、再運転時には操作部３４のスタートボタンを２度押しあるいは長押しすることにより、停電時や電源プラグを抜いた時の状態を記憶部１２１から読み出して再運転可能にしてもよい。これによって、停電時や電源プラグを抜いた時にリセットしてしまう煩わしさを解消できる。
【実施例１０】
【０１０８】
本発明の第１０実施例は、前述の図１９で示したように、扇風機のリモコン１４１に二次電池などの充電式バッテリー１５０を内蔵したものである。
【０１０９】
こうしたリモコン１４１では、外部電力を利用して充電式バッテリー１５０を充電させるための充電部（図示せず）が設けられる。その充電部は、扇風機本体１の格納部（図示せず）に格納されている状態で扇風機本体１からの充電を受ける機能を有してもよく、あるいは扇風機本体１とは別体の充電台で充電して使用できるように構成してもよい。
【０１１０】
従来、扇風機のリモコンはコイン型のリチウム電池が使用され、消耗した際には新しい電池に交換しなければならないが、乳幼児のいる家庭では、交換の際、乳幼児が電池を誤飲するという心配があった。しかし、本実施例では充電式バッテリー１５０を内蔵したリモコン１４１を提供するから、このような問題を解消できる。
【実施例１１】
【０１１１】
本発明の第１１実施例は、前述の図１９で示したように、扇風機のリモコン１４１にＬＥＤ等からなる発光素子などの光照明部１５１を設けたものである。なお、光照明部１５１の形状や配置などは特に限定されない。
【０１１２】
光照明部１５１は、夜中などの暗い中でもリモコン１４１の位置が容易に分かるようにしたものであり、夜間就寝時に光照明部１５１を連続点灯したり、点滅点灯したりするように構成されている。この場合の光照明部１５１は、リモコン操作部の操作でオンとオフを切換えてもよく、あるいはリモコン１４１によって扇風機をオフする操作信号によってオンさせてもよく、図示しない照度センサからの検知信号により夜間であると判断された時にオンさせてもよい。これによって、リモコン１４１を置いた場所を覚えておく必要がなく、暗い環境においても光照明部１５１でリモコン１４１の位置が分かるため、部屋の照明を付けずに扇風機の遠隔操作を行なうことが可能になる。
【実施例１２】
【０１１３】
図２２は、本発明の第１２実施例を示し、風吹出し口または首振り本体に風が吹き出す範囲を照らす光源としてのライトを備えた扇風機を提供するものである。
【０１１４】
同図において、送風部４からの風吹出し口となる前ガード２２の中央に、ＬＥＤ等からなるライト１５２が設けられ、送風部４からの送風がライト１５２の光Ｌによって照らし出される。これにより、扇風機本体１の首振り範囲Ｅがライト１５２の光Ｌによって明確になる。
【０１１５】
そして、前述の首振り範囲を設定する機能で、使用者一人に風を送る場合は、風の当たる範囲を感じて容易に設定できるが、使用者本人がいない箇所に風を送る場合は、送風範囲が見えないために、効率よく首振り設定を行なうのは難しかった。しかし、本実施例ではこのような場合でも、ライト１５２からの光Ｌによって風の吹出す範囲が明確になるため、目視で容易に首振り範囲の設定を行なうことができる。なお、ライト１５２は首振り本体となる駆動部カバー１９の上部や、ファン１６を固定する締付スピンナー（図示せず）などに設けてもよい。また、ライト１５２への電源供給が難しい場合は、電池により点灯させればよい。
【実施例１３】
【０１１６】
図２３は、本発明の第１３実施例を示し、ファンガード１７として使用している前ガード２２の他に、もう一つの別な前ガード１６１を備えたものである。
【０１１７】
同図において、本実施例では、送風部４に装着される前ガード２２とは別体の前ガード１６１を同梱して備えている。送風部４からの送風方向を変えるために、前ガード２２，１６１の骨部（ワイヤー）形状は互いに異なるが、どちらも送風部４のファン１６前方に着脱可能であり、例えば一方の前ガード２２だけが送風部４に装着される。なお、前ガード２２，１６１の数は３以上であっても構わない。
【０１１８】
一方、扇風機本体１のベース２内には、凹状の収納室１６２が設けられる。収納室１６２は、どちらの前ガード２２，１６１も収納可能な形状を有しており、前述のように一方の前ガード２２を送風部４に装着した状態では、送風部４に装着されない他方の前ガード１６１を、ベース２に設けられた開口部１６３から収納室１６２に収納し、開口部１６３を蓋体１６４で塞ぐように構成される。また、他方の前ガード１６１を送風部４に装着した場合は、一方の前ガード２２を開口部１６３から収納室１６２に収納して、その開口部１６３を蓋体１６４で塞げばよく、何れの場合も使用しない前ガード２２，１６１が邪魔にならない。ここでの蓋体１６４は、開口部１６３に対し着脱自在に設けられる。
【０１１９】
以上のように本実施例では、送風部４のファン１６前方に設置された前ガード２２の他に、少なくとも１個以上の前ガード１６１を備えており、使用しない前ガード１６１を扇風機本体１の下部のベース２に収納できる構成としているため、骨部形状などの異なる２個の前ガード２２，１６１を適宜交換して、ファンガード１７として使用することができ便利である。
【実施例１４】
【０１２０】
図２４は、本発明の第１４実施例を示し、従来の締付スピンナーを省略した扇風機を提供するものである。
【０１２１】
同図において、ここではＤＣファンモータ１５のモータ軸１６６が挿入する樹脂製のファン１６の中央連結部において、その中央連結部の軸挿入孔の先端にタップ形状の雌ネジ部を有する金属部品１６７を設けて構成され、前記金属部品１６７の雌ネジ部を前記モータ軸１６６の雄ネジ部に螺着し結合することで、モータ軸１６６にファン１６の中央連結部を取付け固定するものである。これによって、ファン１６をモータ軸１６６に固定するために必要な締付スピンナーを省略することができ、部品点数の削減を図ることができる。
【実施例１５】
【０１２２】
図２５および図２６は、本発明の第１５実施例を示し、右回転用の第１のファンモータ１７１と、左回転用の第２のファンモータ１７２と、制御部１７３とを備え、第１のファン１７４と第２のファン１７５の回転中心を同芯とし、前記制御部１７３は前記第１のファン１７４と第２のファン１７５をそれぞれ単独または同時に回転制御するように構成したものである。
【０１２３】
具体的には、右回転用の第１のファンモータ１７１のモータ軸１７６の先端に、小型の第１のファン１７４の中央連結部１７７を、ネジ部１７８を介して螺着結合し、前記中央連結部１７７の後側に位置して、前記モータ軸１７６に軸受１７９を介して大型の第２のファン１７５の中央連結部１８０を装着することで、第１のファン１７４の中央連結部１７７と、第２のファン１７５の中央連結部１８０を同芯としている。この場合、大型の第２のファン１７５の羽根１８１は、小型の第１のファン１７４の羽根１８２の外周部に位置するようになっている。また第２のファン１７５の中央連結部１８０の後側外周部にはギヤ部１８３が設けられており、このギヤ部１８３は前記第２のファンモータ１７２のモータ軸１８４と、ギヤ機構１８５を介して連結されている。図中１８９は、少なくとも第１のファン駆動手段である第１のファンモータ１７１と、第２のファン駆動手段である第２のファンモータ１７２を内部に収容して備えたファン駆動ケースである。
【０１２４】
そして、制御部１７３から第１のファンモータ１７１に第１の駆動信号が送出されると、第１のファンモータ１７１が駆動して第１のファン１７４が右方向に回転するのに対し、制御部１７３から第２のファンモータ１７２に第２の駆動信号が送出されると、第２のファンモータ１７２が駆動して第２のファン１７５が左方向に回転する。制御部１７３が第１の駆動信号と第２の駆動信号の何れか一方だけを出力する場合は、第１のファンモータ１７１と第２のファンモータ１７２も、その何れか一方だけが回転するが、第１の駆動信号と第２の駆動信号を両方出力する場合は、第１のファンモータ１７１と第２のファンモータ１７２が同時に回転する。
【０１２５】
上記実施例によれば、扇風機として直進性、拡散性、その組合せなど多様な風を選択的に得ることが出来、例えば制御部１７３から第１のファンモータ１７１と第２のファンモータ１７２に駆動信号を同時に送出できる構成にして、右回転に送風する第１のファン１７４と、左回転に送風する第２のファン１７５とを同時に回転させることで、ヘリコプターのような直進性が期待できる風を送風できる。また、制御部１７３から第１のファンモータ１７１と第２のファンモータ１７２の一方にのみ駆動信号を送出できる構成にして、第１のファン１７４と第２のファン１７５の何れかを回転させることにより、第１のファン１７４による右回転の送風や、第２のファン１７５による左回転の送風により、回転方向に巻き込んだ拡散性が期待できる風を送風できる。そして、これらを組み合わせることにより、自然界の外気風に近づけた送風を行なうことができる。
【０１２６】
また本実施例では、正面から見て右回転用の第１のファン１７４と、左回転用の第２のファン１７５の外径を相違させて、大小異なるファン１７４，１７５を備えることにより、異なる風量の異なる風の拡散性を実現できる。しかも本実施例では、外径が大きい第２のファン１７５の回転中心部側にはファンブレードとなる羽根１８１を略設けない構成とし、その第２のファン１７５の回転中心部に外径が小さい第１のファン１７４のファンブレードとなる羽根１８２を配置している。これにより、第１のファン１７４からの右回転の風と、第２のファン１７５からの左回転の風を、互いに干渉させずに円滑に送風することが可能となる。なお、図２５および図２６は一例を示したもので、第１のファン１７４と第２のファン１７５の大きさ並びに寸法比率、あるいは両者を同芯に設けるための構造などは適宜変更できる。
【０１２７】
本発明は上記実施形態に限定されるものではなく、本発明の趣旨を逸脱しない範囲で種々の変更可能である。例えば、第１実施例で示した距離や風速や回転数の値はあくまでも一例で、実際の扇風機の仕様などを考慮して適宜変更して構わない。また、各実施例で説明した技術的な特徴を、適宜組み合わせた扇風機としてもよい。
【符号の説明】
【０１２８】
４  送風部
１６  ファン（羽根）
３１  距離センサ
【図１】
2017067020.tif 000010
【図２】
2017067020.tif 000011
【図３】
2017067020.tif 000012
【図４】
2017067020.tif 000013
【図５】
2017067020.tif 000014
【図６】
2017067020.tif 000015
【図７】
2017067020.tif 000016
【図８】
2017067020.tif 000017
【図９】
2017067020.tif 000018
【図１０】
2017067020.tif 000019
【図１２】
2017067020.tif 000020
【図１３】
2017067020.tif 000021
【図１４】
2017067020.tif 000022
【図１５】
2017067020.tif 000023
【図１６】
2017067020.tif 000024
【図１７】
2017067020.tif 000025
【図１８】
2017067020.tif 000026
【図１９】
2017067020.tif 000027
【図２０】
2017067020.tif 000028
【図２１】
2017067020.tif 000029
【図２２】
2017067020.tif 000030
【図２３】
2017067020.tif 000031
【図２４】
2017067020.tif 000032
【図２５】
2017067020.tif 000033
【図２６】
2017067020.tif 000034
【図１１】
2017067020.tif 000035